(57)【要約】      （修正有）【課題】無線帯域に空スロットがなく、しかも通話中であっても、通話で使用されているフィールドを有効活用することができ、制御信号を親機と子機との間において遅滞なく伝送できるコードレス電話装置を提供する。【解決手段】親機ＢＳ１において、挿入区間検出部４７１は、通話捕捉状態のときに、通話音声としての音声信号を送信する必要があるか否かを判別する。挿入区間検出部４７１が、通話音声としての音声信号を送信する必要はないと判別した場合、制御信号挿入部４７２が、第２フィールドを用いて子機に対して送信すべき音声信号の対応区間に、子機に対して送信すべき制御信号を挿入して送信する。【選択図】図２
2019179959.tif 000002
【特許請求の範囲】
【請求項１】
親機と子機とからなり、前記親機と前記子機との間は、制御信号伝送用の第１フィールドと前記第１フィールドよりもデータ長が長い音声信号伝送用の第２フィールドとを有する伝送単位で信号の伝送を行い、ＴＤＭＡ（Time Division Multiple Access；時分割多元接続）／ＴＤＤ（Time Division Duplex；時分割複信）方式の無線通信方式を用いるコードレス電話装置であって、
前記親機は、
通話捕捉状態のときに、通話音声としての音声信号を送信する必要があるか否かを判別する親機側判別手段と、
前記親機側判別手段により、通話音声としての音声信号を送信する必要はないと判別された場合に、前記第２フィールドを用いて前記子機に対して送信すべき音声信号の対応区間に、前記子機に対して送信すべき制御信号を挿入する親機側挿入手段と
を備え、
前記子機は、
前記親機からの前記音声信号に挿入されている前記制御信号を抽出して利用可能にする子機側抽出手段と、
前記親機からの前記音声信号において、前記制御信号が挿入されている区間の前記制御信号を、音声信号として再生しても不都合のない所定の信号に代替する子機側代替手段と、
を備えることを特徴とするコードレス電話装置。
【請求項２】
請求項１に記載のコードレス電話装置であって、
前記子機は、
通話捕捉状態のときに、通話音声としての音声信号を送信する必要があるか否かを判別する子機側判別手段と、
前記子機側判別手段において、通話音声としての音声信号を送信する必要はないと判別された場合に、前記第２フィールドを用いて前記親機に対して送信すべき音声信号の対応区間に、前記親機に対して送信すべき制御信号を挿入する子機側挿入手段と
を備え、
前記親機は、
前記子機からの前記音声信号に挿入されている前記制御信号を抽出して利用可能にする親機側抽出手段と、
前記子機からの前記音声信号の前記制御信号が挿入されている区間の前記制御信号を、音声信号として再生しても不都合のない所定のデータに代替する親機側代替手段と、
を備えることを特徴とするコードレス電話装置。
【請求項３】
請求項１または請求項２に記載のコードレス電話装置であって、
前記親機側挿入手段は、挿入する前記制御信号に対して、制御信号であることを示す情報と、制御信号長を示す情報とを付加することを特徴とするコードレス電話装置。
【請求項４】
請求項２に記載のコードレス電話装置であって、
前記子機側挿入手段は、挿入する前記制御信号に対して、制御信号であることを示す情報と、制御信号長を示す情報とを付加することを特徴とするコードレス電話装置。
【請求項５】
請求項１または請求項２に記載のコードレス電話装置であって、
前記親機側判別手段は、通話捕捉状態ではあるが通話中の状態でない場合、あるいは、音声信号として非通話音声信号を送信する状態にある場合に、通話音声としての音声信号を送信する必要はないと判別する
ことを特徴とするコードレス電話装置。
【請求項６】
請求項２に記載のコードレス電話装置であって、
前記子機側判別手段は、受話手段から使用者からの耳部分が離れた状態であることが検知された場合、あるいは、通話捕捉状態ではあるが通話中の状態でない場合、あるいは、音声信号として非通話音声信号を送信する状態にある場合に、通話音声としての音声信号を送信する必要はないと判別する
ことを特徴とするコードレス電話装置。
【発明の詳細な説明】
【技術分野】
【０００１】
この発明は、親機と子機との間を無線により接続されるコードレス電話装置であって、例えば、ＤＥＣＴ（Digital Enhanced Cordless Telecommunication）規格が用いられて、ＴＤＭＡ（Time Division Multiple Access；時分割多元接続）／ＴＤＤ（Time Division Duplex；時分割複信）方式の無線通信方式を利用して、親機と子機との間を接続するコードレス電話装置に関する。
【背景技術】
【０００２】
コードレス電話装置についての規格であるＤＥＣＴ規格においては、符号化データの１チャンネルにおける１フレームは、図８（Ａ）に示すように、２４スロットからなるものとされている。そして、前半の１／２フレームの１２スロットＳ０〜Ｓ１１は、親機から子機へのダウンリンクに用いられ、後半の１／２フレームの１２スロットＳ１２〜Ｓ２３は、子機から親機へのアップリンクに用いられる。そして、各スロットは、図８（Ｂ）に示すように、制御信号（制御データ）を伝送する６４ビットのＡフィールド（第１のフィールド）や音声信号（音声データ）を伝送する３２０ビットのＢフィールド（第２のフィールド）などが設けられた構成を有する。
【０００３】
主装置に対して複数の電話端末が接続されて構成されるビジネスホンシステムにおいては、制御信号が大量に発生するが、ビジネスホンシステムに収容される電話端末としてコードレス電話装置を用いた場合にも同様である。そして、コードレス電話装置の場合には、親機と子機との間においても、制御信号の送受を行う必要がある。しかし、上述したように、例えば、ＤＥＣＴ規格の通信方式の場合、制御信号を伝送するＡフィールドは、音声信号を伝送するＢフィールドに比べて非常に小さい。このため、エリアの小さなＡフィールドを用いて大量の制御信号を送受することとなり、必要な制御信号を適切なタイミングで伝送することができない場合が発生する可能性がある。このような場合には、ＬＣＤ（Liquid Crystal Display）の表示が遅れたり、着信通知にタイムラグが生じたりすることが懸念される。
【０００４】
このような課題を解決するため、後に記す特許文献１には、通話中か否か（通話回線を捕捉中か開放中か）を判別して、捕捉中であれば制御信号はＡフィールドを用いて送信し、開放中であれば制御信号はＢフィールドを用いて送信する発明が記載されている。従って、解放中における制御信号の伝送は遅滞なく行える。また、後に記す特許文献２には、周囲に他のコードレス電話装置が存在しない場合に、空きスロットとなっている他のコードレス電話装置のスロットを併せて使用して、制御信号を伝送する発明が記載されている。無線帯域が空いている場合において、制御信号の伝送を遅滞なく行える。
【先行技術文献】
【特許文献】
【０００５】
【特許文献１】特開２０１５−１７７２３９号公報
【特許文献２】特開２０１７−１１５４５号公報
【発明の概要】
【発明が解決しようとする課題】
【０００６】
しかしながら、特許文献１に記載された発明の場合には、通話中においては、制御信号の伝送は従来と変わらず、Ａフィールドを用いて行われる。このため、通話中において制御信号の伝送量を増やすことはできない。また、特許文献２に記載された発明の場合には、無線帯域において複数のコードレス電話装置が用いられて通話が行われている場合には、空いている他のスロットを利用することができないため、制御信号の伝送には時間がかかることになる。
【０００７】
以上のことに鑑み、この発明は、無線帯域に空スロットがなく、しかも通話中であっても、通話で使用されているフィールドを有効活用することができ、制御信号を親機と子機との間において遅滞なく伝送できるコードレス電話装置を提供することを目的とする。
【課題を解決するための手段】
【０００８】
上記課題を解決するため、請求項１に記載の発明のコードレス電話装置は、
親機と子機とからなり、前記親機と前記子機との間は、制御信号伝送用の第１フィールドと前記第１フィールドよりもデータ長が長い音声信号伝送用の第２フィールドとを有する伝送単位で信号の伝送を行い、ＴＤＭＡ（Time Division Multiple Access；時分割多元接続）／ＴＤＤ（Time Division Duplex；時分割複信）方式の無線通信方式を用いるコードレス電話装置であって、
前記親機は、
通話捕捉状態のときに、通話音声としての音声信号を送信する必要があるか否かを判別する親機側判別手段と、
前記親機側判別手段により、通話音声としての音声信号を送信する必要はないと判別された場合に、前記第２フィールドを用いて前記子機に対して送信すべき音声信号の対応区間に、前記子機に対して送信すべき制御信号を挿入する親機側挿入手段と
を備え、
前記子機は、
前記親機からの前記音声信号に挿入されている前記制御信号を抽出して利用可能にする子機側抽出手段と、
前記親機からの前記音声信号において、前記制御信号が挿入されている区間の前記制御信号を、音声信号として再生しても不都合のない所定の信号に代替する子機側代替手段と、
を備えることを特徴とする。
【０００９】
請求項１に記載の発明のコードレス電話装置によれば、親機において、親機側判別手段は、通話捕捉状態のときに、通話音声としての音声信号を送信する必要があるか否かを判別する。親機側判別手段が、通話音声としての音声信号を送信する必要はないと判別したとする。この場合、親機側挿入手段が、第２フィールドを用いて子機に対して送信すべき音声信号の対応区間に、子機に対して送信すべき制御信号を挿入して送信する。
【００１０】
一方、子機においては、子機側抽出手段が、親機からの音声信号に挿入されている制御信号を抽出して利用可能にする。そして、子機側代替手段が、親機からの音声信号に挿入されている制御信号を、音声信号として再生しても不都合のない所定の信号に代替して出力する。このように、本来、音声データの伝送に用いられる第２フィールドを用いて、送信すべき通話音声の音声信号と共に、制御信号の伝送も可能になる。
【発明の効果】
【００１１】
この発明によれば、親機と子機との間で、通話中においても、通話で使用されているフィールドを有効活用することができ、制御信号を遅滞なく伝送することができるコードレス電話装置が実現できる。
【図面の簡単な説明】
【００１２】
【図１】実施の形態の電話システムの全体の構成例を示すブロック図である。
【図２】親機の構成例を示すブロック図である。
【図３】重要性の低い区間が存在するサンプル音声信号と、当該重要性の低い区間に制御信号を挿入した音声信号とを説明するための図である。
【図４】音声信号に挿入される制御信号の例を説明するための図である。
【図５】子機の構成例を示すブロック図である。
【図６】子機から親機へ音声信号を伝送する場合の処理を説明するためのシーケンス図である。
【図７】親機から子機へ音声信号を伝送する場合の処理を説明するためのシーケンス図である。
【図８】ＤＥＣＴ規格のフレーム及びスロットの構成を説明するための図である。
【発明を実施するための形態】
【００１３】
以下、図を参照しながら、この発明のコードレス電話装置の一実施の形態について説明する。以下に説明する実施の形態においては、この発明のコードレス電話装置を、例えば企業の事務所などに形成されるいわゆるビジネスホンシステムと呼ばれる電話システムで用いるようにした場合を例にして説明する。
【００１４】
［電話システムの構成例］
図１は、この実施形態の電話システム１０の全体の構成例を示すブロック図である。電話システム１０においては、上位装置の例としての主装置１に対して、内線電話装置として、この発明に係る複数のコードレス電話装置２１、２２、・・・、２ｎが接続されている。なお、添え字としての文字ｎは、基本的には１以上の整数を意味する。しかし、図１においては既にコードレス電話装置２１,２２が存在するため、図１において文字ｎは３以上の整数を意味している。以下、この明細書において、添え字としての文字ｎは、同様の意味で用いている。
【００１５】
コードレス電話装置２１〜２ｎのそれぞれは、親機としてのベースセットＢＳ１、ＢＳ２、・・・、ＢＳｎのそれぞれと、子機としてのハンドセットＨＳ１、ＨＳ２、・・・、ＨＳｎのそれぞれとからなり、親機ＢＳ１〜ＢＳｎのそれぞれと、子機ＨＳ１〜ＨＳｎのそれぞれとは、無線接続される。
【００１６】
なお、親機ＢＳ１〜ＢＳｎのそれぞれに対しては、複数の子機を無線接続することも可能であるが、この例では、１台の親機に対して、１台の子機が接続される構成とされている。また、図示は省略するが、主装置１に接続される内線電話装置としては、コードレス電話装置２１、２２、・・・、２ｎのみではなく、通常のビジネスホンシステムと同様に、デジタルボタン電話端末も接続することも可能である。
【００１７】
そして、この実施形態では、コードレス電話装置２１〜２ｎの親機ＢＳ１〜ＢＳｎのそれぞれと、子機ＨＳ１〜ＨＳｎのそれぞれとの間の無線接続は、前述したデジタルコードレス電話のＤＥＣＴ規格（方式）を用いたＴＤＭＡ／ＴＤＤ方式により行う。
【００１８】
主装置１は、１又は複数の電話回線Ｌ１〜Ｌｍ（ｍは１以上の整数）を収容可能である。そして、コードレス電話装置２１〜２ｎのそれぞれの親機ＢＳ１〜ＢＳｎが、この主装置１に接続されている。図１の例では、親機ＢＳ１〜ＢＳｎと主装置１とは有線で接続されているが、無線であってもよい。
【００１９】
主装置１は、複数のコードレス電話装置２１〜２ｎについての呼制御及び回線交換制御、その他のビジネスホンとしての制御を行うと共に、基準同期信号ＳＹＮＣを複数のコードレス電話装置２１〜２ｎのそれぞれに供給する機能を備えている。基準同期信号ＳＹＮＣは、この例では、１３０ミリ秒（ｍｓ）周期の信号とされている。
【００２０】
コードレス電話装置２１〜２ｎの親機ＢＳ１〜ＢＳｎのそれぞれは、主装置１からの基準同期信号ＳＹＮＣに同期して、ＤＥＣＴ規格のデジタルコードレス電話の単位通信期間である１フレーム（１０ミリ秒（ｍｓ））の周期の同期信号としてのフレーム同期信号を生成し、その生成したフレーム同期信号に基づいて、ＤＥＣＴ規格を用いたＴＤＭＡ／ＴＤＤ方式の無線通信を子機ＨＳ１〜ＨＳｎとの間で実行する。したがって、複数のコードレス電話装置２１〜２ｎの全ては、主装置１からの基準同期信号ＳＹＮＣに同期した動作をする。
【００２１】
そして、図１に示したように、コードレス電話装置２１〜２ｎのそれぞれは、主装置１に接続されてビジネスホンシステムを構成する電話端末である。このため、着信通知や発信要求といった呼制御信号やその他の制御信号が、主装置１との間で送受される。なお、その他の制御信号には、例えば、主装置１に接続された他のコードレス電話装置の動作状態を使用者に通知するためにコードレス電話装置２１〜２ｎのＬＣＤやＬＥＤ（Light Emitting Diode）を制御するための制御信号などがある。
【００２２】
コードレス電話装置においては、親機が、リンガ、ＬＣＤ、ＬＥＤ、操作部といったユーザインターフェースを備えるものもある。しかし、親機が主装置と子機との間を接続する機能だけを実現し、子機がリンガ、ＬＣＤ、ＬＥＤ、操作部といったユーザインターフェースを備える場合もある。この場合には、親機と子機との間でも、相互に種々の制御信号が送受される。この実施の形態においても、コードレス電話装置２１〜２ｎの親機ＢＳ１〜ＢＳｎは、基本的にユーザインターフェースは備えず、主装置１と子機ＨＳ１〜ＨＳｎとの間を接続する機能を実現するものである。
【００２３】
従って、親機ＢＳ１〜ＢＳｎと対応する子機ＨＳ１〜ＨＳｎとの間においては、種々の制御信号が頻繁に送受される状況にある。このため、通話回線を捕捉して通話が可能な状態であっても、親機ＢＳ１〜ＢＳｎと子機ＨＳ１〜ＨＳｎとの間においては、フレームのＢフィールドを通じて送信される音声信号において、重要性が低いと判別できた区間には制御信号を挿入して送信する。これにより、制御信号を遅滞なく送受信することができるようにしている。
【００２４】
すなわち、通常、電話による通話においては、双方の話者が同時に話すことは少なく、双方の話者が交互に話し手／聞き手の立場に変わる。このため、聞き手となった側では当該聞き手側からの音声信号（送話信号）は少なくなって重要性は低下し、これに応じて、話し手となった側では聞き手側からの音声信号（受話信号）の重要性は低下する。このように、重要性が低下した送話データ／受話データにおいて、特に送信する必要がないと判別できる区間に対して、種々の制御信号を挿入して伝送する。これにより、大量に発生する制御信号を、通話回線を捕捉して通話が可能な状態においても遅滞なく、親機と子機との間で伝送できるようにしている。
【００２５】
そして、送信される音声信号について、重要性が低く、送信する必要がないと判別できる場合は、例えば、以下の（１）〜（７）の場合が考えられる。
（１）一定音量レベル以上の音声信号が連続して検出されなかった場合
（２）無音検出領域が一定サイズ以上連続した場合
（３）ＲＴＰ（Real time Transport Protocol）で送信する１パケット分の音声信号が無音となっている場合
（４）送信対象の音声信号がホワイトノイズデータと一致する場合
（５）子機において、メニュー操作中などの通話用途以外での子機操作中を検知している場合
（６）保留中／非保留中の場合
（７）半二重通信時（エコーサプレッサー動作中など）における未使用側である場合
には、当該音声信号は重要性が低いものと判別できる。
【００２６】
（１）に示した「一定音量レベル以上の音声信号が連続して検出されなかった場合」は、送信対象の音声信号の振幅が連続して一定レベルに達していなければ、話音声ではなく、例えば背景音などであるため、重要性は低いと判別できることを意味する。また、（２）に示した「無音検出領域が一定サイズ以上連続した場合」は、サンプリング後の音声信号が時間方向に一定サイズ（一定区間）無音になっていれば、送信すべき音声信号は存在しないのであるから、重要性は低いと判別できることを意味する。ここで、「無音」との文言は、真に無音であること（狭義の無音）を意味するものではなく、音声信号の出力レベルが一定レベル以下で、人の聴覚で認識可能な音声が存在しない状態（広義の無音）を意味している。
【００２７】
また、（３）に示した「ＲＴＰ（Real time Transport Protocol）で送信する１パケット分の音声信号が無音となっている場合」は、送信対象の音声信号を２進数的に見て、その信号レベルが一定レベル以下である状態であれば、重要性は低いと判別できることを意味する。また、（４）に示した「送信対象の音声信号がホワイトノイズデータと一致する場合」は、一定レベル以上のなんらかの音声信号は存在するものの、その音声信号があらゆる周波数成分を同等に含むいわゆるホワイトノイズと見做せる場合を意味する。送信対象の音声信号がホワイトノイズであれば、その音声信号の重要性は低いと特定できる。
【００２８】
また、（５）に示した「子機において、メニュー操作中などの通話用途以外での子機操作中を検知している場合」は、子機操作中においては、送話データは基本的に存在せず、また、受話データも聴取できないために意味がないことを意味する。この場合にも、送信対象の音声信号の重要性は低いと判別できる。なお、この実施の形態では、親機ＢＳ１〜ＢＳｎは操作部を備えないものであるが、操作部を備える親機の場合には、親機においても同様の判別が可能となる。
【００２９】
また、（６）に示した「保留中／被保留中の場合」は、通話回線は捕捉されているものの、保留操作をした側の話音声は相手先に送信されない。また、保留状態にあるときには、通話ができない状態にあるため、被保留側から送信されて来る音声にも意味はないものといえる。従って、保留中／被保留中において保留側より送信する話音声及び被保留側より送信されて来る音声は、重要性の低いものと判別できる。また、（７）に示した「半二重通信時（エコーサプレッサー動作中など）における未使用側である場合」は、例えば、エコーサプレッサーを用いるなどして、送話データと受話データのいずれかを減衰させている場合に、その減衰させている方の音声信号の重要性は低いと判別できることを意味する。
【００３０】
なお、エコーサプレッサーは、送信信号と受信信号の信号レベルを比較し、信号レベルの高い方の信号を通過させ反対の信号は減衰させることにより、エコーやハウリングを抑制する技術である。また、ここに示した（１）〜（７）の場合は、送受信の対象になっている音声信号の重要性が低いと判別できる場合の一例であり、これ以外の場合によって、送受信の対象になっている音声信号の重要性を判別してもよい。例えば、子機ＨＳ１〜ＨＳｎのスピーカ部分に例えば温度センサや照度センサなどを設けておく。そして、使用者が子機を耳部分にあてていると判別できる場合には、送受信する音声信号は話音声であるため重要なものであり、そうでない時には重要性は低いと判別することも可能である。
【００３１】
そして、上述した（１）〜（４）、（６）の場合については、親機ＢＳ１〜ＢＳｎや子機ＨＳ１〜ＨＳｎにおいて、自機から音声信号として送信する信号の状態に基づいて判別できる。また、（５）、（７）の場合や子機を耳部分にあてているか否かに応じる場合については、親機ＢＳ１〜ＢＳｎや子機ＨＳ１〜ＨＳｎの例えば制御回路などにおいて、その状態が把握されるので、当該状態に基づいて判別できる。
【００３２】
［コードレス電話装置の構成例］
次に、上述したように、例え通話中であっても制御信号を遅滞なく送受する機能を備えた、この実施の形態のコードレス電話装置２１〜２ｎの親機ＢＳ１〜ＢＳｎ及び子機ＨＳ１〜ＨＳｎの構成例について説明する。この実施の形態のビジネスホンシステムで用いられる複数個のコードレス電話装置２１〜２ｎの親機ＢＳ１〜ＢＳｎ及び子機ＨＳ１〜ＨＳｎのそれぞれは、全て同じ構成を備える。そこで、以下の説明では、コードレス電話装置２１の親機ＢＳ１及び子機ＨＳ１の場合を例にとって、親機及び子機の構成例を説明する。
【００３３】
＜親機の構成例；図２＞
図２は、親機ＢＳ１の構成例を示すブロック図である。この図２に示すように、親機ＢＳ１は、親機ＢＳ１の全体を制御するための制御回路４１と、回線ＬＳＩ部４２と、同期信号発生回路４３と、無線通信回路４４と、発振器４５及び４６と、挿入抽出処理部４７とを備えて構成されている。
【００３４】
制御回路４１は、コンピュータを搭載して構成されている。そして、制御回路４１は、この親機ＢＳ１における呼制御などの制御を行う機能を備える。回線ＬＳＩ部４２は、主装置１との間で音声信号、制御信号及び同期信号のやり取りをするための回路であり、分割化／多重化処理部４２１と、制御信号処理部４２２と、音声信号処理部４２３と、同期信号検出部４２４と、ＰＬＬ（Phase locked Loop）部４２５とからなる。
【００３５】
ＰＬＬ部４２５には、発振器４５からの基準周波数の発振信号が供給されると共に、主装置１からの多重化信号が供給される。この例では、発振器４５の発振信号の周波数は、例えば２０４８ＭＨｚ（０．４８８ナノ秒（ｎｓ））とされている。
【００３６】
ＰＬＬ部４２５は、主装置１からの多重化信号から、いわゆるセルフクロッキングにより、主装置１のタイミング信号生成部からのクロック信号ＣＫの成分を抽出し、その抽出したクロック信号ＣＫ成分と発振器４５からの発振信号とを位相比較して、その比較結果に基づいて、発振器４５の発振信号から、クロック信号ＣＫ成分に同期する親機ＢＳ１のシステムクロック信号ＳＣＫを生成する。
【００３７】
そして、ＰＬＬ部４２５は、生成したシステムクロック信号ＳＣＫを、分割化／多重化処理部４２１、制御信号処理部４２２、音声信号処理部４２３、同期信号検出部４２４のそれぞれに、信号処理用クロック信号として供給する。また、ＰＬＬ部４２５は、生成したシステムクロック信号ＳＣＫを、後段の同期信号発生回路４３にも供給する。
【００３８】
分割化／多重化処理部４２１は、主装置１に接続されると共に、制御信号処理部４２２、音声信号処理部４２３、同期信号検出部４２４に接続される。そして、分割化／多重化処理部４２１は、主装置１からの多重化信号から制御信号と音声信号と基準同期信号ＳＹＮＣを分割（分離）して、制御信号は制御信号処理部４２２に、音声信号は音声信号処理部４２３に、基準同期信号ＳＹＮＣは同期信号検出部４２４に、それぞれ供給する。
【００３９】
また、分割化／多重化処理部４２１は、制御信号処理部４２２からの制御信号と、音声信号処理部４２３からの音声信号とを多重化して多重化信号を生成し、その生成した多重化信号を主装置１に供給する。
【００４０】
制御信号処理部４２２は、制御回路４１の制御信号入出力端に接続されると共に、分割化／多重化処理部４２１に接続されており、発信時及び着信時、また、終話時などにおける呼制御信号などの制御信号（主装置１からコードレス電話装置２１への制御信号と、コードレス電話装置２１から主装置１への制御信号の両方）の処理回路である。
【００４１】
音声信号処理部４２３は、挿入抽出処理部４７を介して、無線通信回路４４に接続されると共に、分割化／多重化処理部４２１に接続されており、無線通信回路４４からの子機ＨＳ１から受信した受話音声信号及び分割化／多重化処理部４２１からの送話音声信号の処理回路である。
【００４２】
同期信号検出部４２４は、分割化／多重化処理部４２１からの基準同期信号ＳＹＮＣを受けて、当該基準同期信号ＳＹＮＣが備える所定の同期信号パターンを検出することで、その検出時点の信号として、基準同期信号ＳＹＮＣと同期する、基準同期信号ＳＹＮＣと同一周期（１３０ｍｓ）の基準同期パルスＰＳを発生する。そして、同期信号検出部４２４は、発生した基準同期パルスＰＳを同期信号発生回路４３に供給する。
【００４３】
同期信号発生回路４３は、カウンタ４３１と、同期信号生成部４３２とからなる。カウンタ４３１には、回線ＬＳＩ部４２の同期信号検出部４２４からの１３０ｍｓの周期の基準同期パルスＰＳがプリセット端子に供給されると共に、ＰＬＬ部４２５からのシステムクロック信号ＳＣＫがカウント入力として供給される。そして、このカウンタ４３１の出力カウント値ＣＮＴが同期信号生成部４３２に供給される。
【００４４】
同期信号生成部４３２は、カウンタ４３１の出力カウント値ＣＮＴから、ＤＥＣＴ規格のフレーム周期（１０ｍｓ）のフレーム同期信号ＦＬを発生する。同期信号発生回路４３は、同期信号生成部４３２で生成したフレーム同期信号ＦＬを無線通信回路４４に供給する。
【００４５】
挿入抽出処理部４７は、通話回線を捕捉して（接続して）、相手先と通話ができる状態にあるときに、子機ＨＳ１に送信する音声信号への制御信号の挿入機能と、子機ＨＳ１から送信されてきた音声信号に挿入されている制御信号を抽出機能とを実現する。挿入機能は、通話状態にあるときに子機ＨＳ１に対して送信する音声信号に重要性の低い区間が存在する場合に、当該区間に制御信号の挿入する機能である。また、抽出機能は、通話状態にあるときに子機ＨＳ１から送信されてきた音声信号に制御信号が挿入されている場合にこれを特定して抽出する機能である。
【００４６】
図２に示すように、挿入抽出処理部４７は、挿入区間検出部４７１と、制御信号挿入部４７２と、制御信号抽出部４７３と、ノイズ挿入部４７４とを備えている。挿入区間検出部４７１は、前段の音声信号処理部４２３からの音声信号について、上述した（１）〜（４）の場合に該当する区間を検出する処理を行い、検出結果を制御信号挿入部４７２に通知する。制御信号挿入部４７２は、挿入区間検出部４７１からの検出結果に基づいて、送信対象の音声信号において、重要性が低い区間として検出された当該区間に、制御回路４１から提供を受けた子機ＨＳ１に送信すべき制御信号を挿入して、無線通信回路４４に供給する。
【００４７】
なお、挿入区間検出部４７１において、上述した（１）〜（４）の場合に該当する区間が検出できなかった場合には、制御信号挿入部４７２において制御信号の挿入処理が行われることはない。この場合には、音声信号処理部４２３からの音声信号が、そのまま無線通信回路４４に供給される。また、この実施の形態において、親機ＢＳ１は、操作部や送受話器は備えないので、上述した（５）、（７）の場合に対応する区間の検出は行わない。つまり、親機に対して使用者が操作を行うことはないし、送受話器がないのでエコーやハウリングが起こることもなく、基本的に半二重通信を行う場合がないためである。
【００４８】
しかし、後述する子機ＨＳ１を通じて保留操作が行われた場合には、親機ＢＳ１と子機ＨＳ１とからなるコードレス電話装置２１は保留状態となる。この場合、親機ＢＳ１と子機ＨＳ１と間においては、親機ＢＳ１から子機への音声信号（通話の相手先からの音声信号）と、子機から親機への音声信号（保留音ではなく、子機ＨＳ１で収音された音声信号）との重要性は低下する。そこで、挿入区間検出部４７１は、自機が保留状態になってから、当該保留状態が解除されるまでの間、通話の相手先からの音声信号については、重要性が低い区間として制御信号挿入部４７２に通知する。これにより、自機から保留にした場合に、親機ＢＳ１から子機ＨＳ１への音声信号には、制御信号が挿入できる。
【００４９】
なお、自機が保留状態になったこと、また、自機の保留状態が解除されたことは、ＨＳ１からのスロットのＡフィールド（第１のフィールド）に挿入された制御信号に応じて制御回路４１が把握して挿入抽出処理部４７に通知する場合がある。また、以下に説明するように、挿入抽出処理部４７の制御信号抽出部４７３が抽出するＨＳ１からのＢフィールド（第２のフィールド）の音声信号に挿入されている制御信号に応じて制御回路４１が把握して挿入抽出処理部４７に通知する場合がある。
【００５０】
図３は、重要性の低い区間が存在するサンプル音声信号と、当該重要性の低い区間に制御信号を挿入した音声信号とを説明するための図である。また、図４は、音声信号に挿入される制御信号の例を説明するための図である。まず、挿入区間検出部４７１においては、子機ＨＳ１に送信すべき音声信号中において、図３（Ａ）に示すように、例えば、音声信号として「０」の羅列となっており実質的に無音となっている区間などの、重要性の低い区間を検出する。挿入区間検出部４７１は、子機ＨＳ１へ送信する１スロット分の音声信号のどこからどこまでが、重要性の低い区間かを検出する。
【００５１】
そして、制御信号挿入部４７２は、上述もしたように、挿入区間検出部４７１の検出出力に基づいて、子機ＨＳ１に送信する１スロット分の音声信号において、重要性が低いと検出された区間に、制御回路４１からの制御信号を挿入する。この場合、制御信号挿入部４７２は、制御信号を挿入する当該区間の先頭に制御信号を挿入したことを示す所定のコードである挿入区間開始コードを挿入する。この実施の形態において、挿入区間開始コードは１６進数で「ＦＦＦＦＦＦ」である。
【００５２】
さらに、制御信号挿入部４７２は、当該挿入区間開始コードの次に、何桁の制御信号を挿入したのかを示す情報を挿入する。音声信号を伝送するために用いられるＢフィールドは図８（Ｂ）に示したように、３２０ビット（４０バイト）の領域であり、１６進数で８０文字分のデータを伝送できる。このため、何桁の制御信号を挿入したのかを示す情報は、１６進数で２桁（８ビット）あればよい。このように、制御信号を挿入したことを示す挿入区間開始コードと挿入した制御信号の桁数を示す情報に続き、制御回路４１から取得した制御信号を挿入する。
【００５３】
したがって、図３（Ａ）に示したように、音声信号として１６進数の値「０」が続く区間が１６進数で３９文字分検出できた場合には、この区間に図３（Ｂ）に示すように、制御信号を挿入したことを示す挿入区間開始コード「ＦＦＦＦＦＦ」と、制御信号の桁数を示す１６進数２桁の情報「１Ｆ」と、その後に１６進数で３１文字分の制御信号が挿入される。すなわち、１６進数で「１Ｆ」は１０進数で「３１」である。
【００５４】
従って、図３（Ａ）に示したサンプル音声信号の場合には、子機ＨＳ１に対して１スロットで送信すべき３２０ビット分の音声信号のうち重要性の低い部分として１６進数で３９文字分の区間が検出される。この区間に対して、図３（Ｂ）に示し、更に図４にまとめたように、制御信号が挿入される。その内訳は、当該区間の先頭６文字分は、制御信号の挿入区間開始コード「ＦＦＦＦＦＦ（１６進数）」が挿入される。これに続き挿入された制御信号のデータ長を示す２桁のデータ、この例の場合には「１Ｆ（１６進数）」が挿入される。これに続き、「１Ｆ（１６進数）」＝「３１（１０進数）」桁の制御信号が挿入される。なお、詳しくは後述するが、子機ＨＳ１から親機ＢＳ１へ送信される音声信号についても、重要性の低い区間に対して、図３、図４を用いて説明した態様で制御信号が挿入される。
【００５５】
一方、挿入抽出処理部４７の制御信号抽出部４７３は、子機ＨＳ１からの音声信号を確認し、制御信号が挿入されている区間を特定して当該制御信号を抽出して、制御回路４１に供給する。すなわち、制御信号抽出部４７３は、音声信号に制御信号が挿入されている場合に、当該制御信号の先頭に付加されている挿入区間開始コード「ＦＦＦＦＦＦ（１６進数）」を検出することにより、制御信号が挿入されていることと、制御信号の先頭位置を特定する。そして、当該挿入区間開始コードの直後には挿入された制御信号のデータ長を示す情報が付加されているので、この制御信号のデータ長を示す情報に基づいて、制御信号の末尾位置を特定する。この特定した先頭位置から末尾位置までの制御信号を抽出する。
【００５６】
ノイズ挿入部４７４は、制御信号抽出部４７３の検出結果に基づいて、処理対象の音声信号において、制御信号が挿入されている区間に対して、当該制御信号に替えてホワイトノイズを挿入する処理を行う。これにより、当該制御信号が挿入されていた音声信号が、そのまま再生された場合に、再生側の使用者にとって不快な音声が放音されるといった不都合を防止できる。なお、子機ＨＳ１からの音声信号に制御信号が挿入されていない場合には、子機ＨＳ１からの当該音声信号は、そのまま音声信号処理部４２３に供給されて通常通り処理される。
【００５７】
このように、挿入区間検出部４７１及び制御信号挿入部４７２が音声信号への制御信号の挿入機能を実現する。また、制御信号抽出部４７３及びノイズ挿入部４７４が音声信号に挿入されている制御信号の抽出機能を実現する。
【００５８】
次に、無線通信回路４４について説明する。この無線通信回路４４は、制御部４４１と、ＴＤＭＡ変復調部４４２と、ＲＦ部（無線通信部）４４３とを備えて構成されている。ＲＦ部４４３は、子機ＨＳ１との間で、無線通信を行うための回路部である。制御部４４１は、ＴＤＭＡ変復調部４４２及びＲＦ部４４３に接続されると共に、制御回路４１に接続されている。制御部４４１は、この無線通信回路４４の全体の動作を制御すると共に、制御回路４１から得た制御信号に基づく制御信号をＴＤＭＡ変復調部４４２に供給する。
【００５９】
ＴＤＭＡ変復調部４４２は、制御部４４１及び挿入抽出処理部４７に接続されると共に、ＲＦ部４４３に接続されている。ＴＤＭＡ変復調部４４２は、制御部４４１からの制御信号と挿入抽出処理部４７からの音声信号を子機ＨＳ１に送信するために変調を行う。このＴＤＭＡ変復調部４４２で変調された信号は、ＲＦ部４４３を通じて子機ＨＳ１に送信される。また、ＴＤＭＡ変復調部４４２は、ＲＦ部４４３で受信された子機ＨＳ１からの受信信号から、音声信号及び制御信号を復調し、復調した音声信号は挿入抽出処理部４７に供給し、復調した制御信号は、制御部４４１に供給する。
【００６０】
そして、ＴＤＭＡ変復調部４４２は、クロック生成用のＰＬＬ部４４２１を備える。このＰＬＬ部４４２１には、発振器４６からの発振信号が供給されると共に、同期信号発生回路４３からのフレーム同期信号ＦＬが供給される。ＰＬＬ部４４２１は、同期信号発生回路４３からのフレーム同期信号ＦＬと発振器４６からの発振信号とを位相比較して、その比較結果に基づいて、発振器４６の発振信号から、フレーム同期信号ＦＬに同期するタイミング信号及びクロック信号を生成する。
【００６１】
ＴＤＭＡ変復調部４４２は、フレーム同期信号ＦＬに同期するタイミング信号及びクロック信号を用いて、割り当て使用可能となるダウンリンクでのスロットの一つに相当する期間で子機ＨＳ１への送信信号を生成すると共に、アップリンクでのスロットの一つを用いて、子機ＨＳ１からの受信信号の処理を行うようにする。
【００６２】
なお、親機ＢＳ１は、主装置１に接続されて、前述したように、子機ＨＳ１との通信のための同期処理を開始し、常に、子機ＨＳ１に対して送信信号を送る。そして、親機ＢＳ１の無線通信回路４４の制御部４４１は、ＴＤＭＡ変復調部４４２で生成した送信信号を、自親機に設定された一つのスロットを用いて、ＲＦ部４４３を通じて子機ＨＳ１に送る。これに応じて、当該子機ＨＳ１から応答が返って来た時に、制御部４４１は、送信信号を送信するために用いたスロットをダウンリンク用とし、子機ＨＳ１からの応答を受信したスロットをアップリンク用として同期を確立して、送受信を行うように制御する。
【００６３】
＜子機の構成例；図５＞
図５は、子機ＨＳ１の構成例を示すブロック図である。図５に示すように、子機ＨＳ１は、無線通信回路５１と、制御回路５２と、コーデック回路５３と、発振器５４と、マイクロホン５５と、スピーカ５６と、挿入抽出処理部５７と、操作部５８と、センサ部５９とを備えて構成されている。マイクロホン５５は送話器を構成し、スピーカ５６は受話器を構成する。
【００６４】
無線通信回路５１は、制御部５１１と、ＴＤＭＡ変復調部５１２と、ＲＦ部（無線通信部）５１３とを備えて構成されている。ＲＦ部５１３は、親機ＢＳ１との間で、無線通信を行うための回路部である。制御部５１１は、ＴＤＭＡ変復調部５１２及びＲＦ部５１３に接続されると共に、制御回路５２に接続されている。制御部５１１は、この無線通信回路５１の全体の動作を制御すると共に、制御回路５２から得た制御信号に基づく制御信号をＴＤＭＡ変復調部５１２に供給する。
【００６５】
ＴＤＭＡ変復調部５１２は、制御部５１１及びＲＦ部５１３に接続されると共に、挿入抽出処理部５７を介して、コーデック回路５３と接続されている。ＴＤＭＡ変復調部５１２は、制御部５１１からの制御信号と、挿入抽出処理部５７を介して提供されるコーデック回路５３からの音声信号を親機ＢＳ１に送信するために変調を行う。このＴＤＭＡ変復調部５１２で変調された信号は、ＲＦ部５１３を通じて親機ＢＳ１に送信される。また、ＴＤＭＡ変復調部５１２は、ＲＦ部５１３で受信された親機ＢＳ１からの受信信号から、音声信号及び制御信号を復調し、復調した音声信号は挿入抽出処理部５７を介してコーデック回路５３に供給し、復調した制御信号は、制御部５１１に供給する。
【００６６】
そして、ＴＤＭＡ変復調部５１２は、クロック生成用のＰＬＬ部５１２１を備える。このＰＬＬ部５１２１には、発振器５４からの発振信号が供給されると共に、ＲＦ部５１３からの受信信号の復調信号が供給され、このＰＬＬ部５１２１からは、発振器５４からの発振信号から、受信信号の復調信号のクロック成分に同期したクロック信号が生成される。このＰＬＬ部５１２１からのクロック信号は、ＴＤＭＡ変復調部５１２における処理用クロック信号とされる。
【００６７】
コーデック回路５３は、ＴＤＭＡ変復調部５１２で復調された音声信号を復号して、アナログ音声信号に変換し、そのアナログ音声信号をスピーカ５６に供給して、受話音声として放音する。また、コーデック回路５３は、マイクロホン５５で収音したアナログ音声信号を符号化して、挿入抽出処理部５７を介して、ＴＤＭＡ変復調部５１２に供給するようにする。
【００６８】
なお、制御回路５２は、この子機ＨＳ１からの発呼時には、発呼時の呼制御信号を、無線通信回路５１を通じて親機ＢＳ１に送信し、また、親機ＢＳ１からの着信時の呼制御信号を受けた時には、着信音をスピーカ５６から放音するなどの処理を行う。
【００６９】
挿入抽出処理部５７は、上述した親機ＢＳ１の挿入抽出処理部４７に対応する部分である。すなわち、挿入抽出処理部５７は、通話回線を捕捉して（接続して）、相手先と通話ができる状態にあるときに、親機ＢＳ１に送信する音声信号への制御信号の挿入機能と、親機ＢＳ１から送信されてきた音声信号に挿入されている制御信号の抽出機能とを実現する。挿入機能は、通話状態にあるときに親機ＢＳ１に対して送信する音声信号に重要性の低い区間が存在する場合に、当該区間に制御信号を挿入する機能である。また、抽出機能は、通話状態にあるときに親機ＢＳ１から送信されてきた音声信号に制御信号が挿入されている場合にこれを特定して抽出する機能である。
【００７０】
図５に示すように、挿入抽出処理部５７は、制御信号抽出部５７１と、ノイズ挿入部５７２と、挿入区間検出部５７３と、制御信号挿入部５７４とを備えている。制御信号抽出部５７１は、ＴＤＭＡ変復調部５１２において復調された親機ＢＳ１からの音声信号を確認し、制御信号が挿入されている区間を特定して当該制御信号を抽出し、これを制御回路５２に供給する。そして、図３、図４を用いて説明した態様で、親機ＢＳ１からの音声信号に制御信号が挿入されているとする。
【００７１】
この場合、制御信号抽出部５７１は、供給された親機ＢＳ１からの音声信号において、当該制御信号の先頭に付加されている挿入区間開始コードである「ＦＦＦＦＦＦ（１６進数）」を検出することにより、制御信号が挿入されていることと、制御信号の先頭位置を特定する。そして、当該挿入区間開始コード「ＦＦＦＦＦＦ（１６進数）」の直後には挿入された制御信号のデータ長を示す情報が付加されているので、この制御信号のデータ長を示す情報に基づいて、制御信号の末尾位置を特定する。この特定した先頭位置から末尾位置までの制御信号を抽出し、制御回路５２に供給して、制御信号として利用可能にする。
【００７２】
ノイズ挿入部５７２は、制御信号抽出部５７１の検出結果に基づいて、処理対象の音声信号の制御信号が挿入されている区間に対して、当該制御信号に替えてホワイトノイズを挿入するように処理する。これにより、当該制御信号が挿入されていた音声信号が、そのまま再生された場合に、再生側の使用者にとって不快な音声が放音されるといった不都合を防止できる。なお、子機ＨＳ１からの音声信号に制御信号が挿入されていない場合には、子機ＨＳ１からの当該音声信号は、制御信号抽出部５７１及びノイズ挿入部５７２をそのまま通過し、コーデック回路５３に供給されて通常通り処理（再生）される。
【００７３】
一方、挿入区間検出部５７３は、マイクロホン５５で収音され、コーデック回路５３でデジタル信号に変換された音声信号について、上述した（１）〜（７）の場合に該当する区間を検出する処理を行い、検出結果を制御信号挿入部５７４に通知する。制御信号挿入部５７４は、挿入区間検出部５７３からの検出結果に基づいて、送信対象の音声信号において、重要性が低い区間として検出された当該区間に、制御回路５２から提供を受けた親機ＢＳ１に送信すべき制御信号を挿入して、無線通信回路５１に供給する。
【００７４】
なお、挿入区間検出部５７３において、上述した（１）〜（７）の場合に該当する区間が検出できなかった場合には、制御信号挿入部５７４において制御信号の挿入処理が行われることはない。この場合には、コーデック回路５３からの音声信号が、そのまま無線通信回路５１に供給される。そして、この実施の形態において、子機ＨＳ１は、操作部５８及びマイクロホン５５、スピーカ５６を備えているので、上述した（５）〜（７）の場合に該当する区間の検出も行う。
【００７５】
すなわち、図３に示したように、制御回路５２には操作部５８が接続されている。操作部５８は、いわゆる数字キー（テンキー）や幾つかのファンクションキーなどを備え、使用者からの操作入力を受け付けて、これを電気信号に変換して制御回路５２に通知する。このため、制御回路５２は、メニュー操作中などの通話用途以外での子機操作中を検知している場合には、これを挿入抽出処理部５７に通知する。
【００７６】
これにより、挿入抽出処理部５７の挿入区間検出部５７３は、制御回路５２からメニュー操作中などの通話用途以外での子機操作中であることが通知されている場合においては、当該通知中におけるコーデック回路５３からの音声信号は重要性が低いと判別する。そして、挿入区間検出部５７３は、コーデック回路５３からの音声信号について、重要性が低いと判定した区間を制御信号挿入部５７４に通知する。
【００７７】
また、子機ＨＳ１において、操作部５８を通じて保留操作を受け付けた場合には、親機ＢＳ１と子機ＨＳ１とからなるコードレス電話装置２１は保留状態となり、この場合にＨＳ１から通話の相手先に送信する音声信号の重要性は低下する。そこで、挿入区間検出部５７３は、自機が保留状態になってから、当該保留状態が解除されるまでの間、コーデック回路５３からの音声信号については、重要性が低い区間として制御信号挿入部５７４に通知する。これにより、自機から保留にした場合に、子機ＨＳ１から親機ＢＳ１への音声信号には、制御信号が挿入される。
【００７８】
なお、親機ＢＳ１と子機ＨＳ１とからなるコードレス電話装置２１が保留状態にある場合には、例えば、親機ＢＳ１や主装置から保留音が相手先に送信される。しかし、通話の相手先に送信される保留音については、親機ＢＳ１と子機ＨＳ１との間では特に重要性はないため、保留中における子機ＨＳ１から親機ＢＳ１への音声信号の重要性は低いと判定しても問題は生じない。
【００７９】
また、（７）に示した、半二重通信時（エコーサプレッサー動作中など）における未使用側である場合については、コーデック回路５３と制御回路５２とが機能することにより判定可能である。すなわち、エコーサプレッサー機能などの半二重通信を行う機能は、コーデック回路５３において実現される。従って、半二重通信を行うようにしている場合には、その状態がコーデック回路５３から制御回路５２に通知される。このため、制御回路５２は、半二重通信時において、その状態を挿入抽出処理部５７に通知する。
【００８０】
これにより、コーデック回路５３において、親機ＢＳ１に送信する音声信号、すなわち、マイクロホン５５を通じて集音している音声信号を減衰させている音声信号の区間については、重要性は低いと判定できる。そして、当該区間については、制御信号挿入部５７４に通知されるので、親機ＢＳ１の当該区間には、制御信号を挿入することができる。
【００８１】
また、子機ＨＳ１は、センサ部５９を備えている。当該センサ部５９は、例えば、温度センサや照度センサからなり、使用者がスピーカ５６部分を自分の耳部分にあてて通話を行うようにしている場合とそうでない場合とを区別して検知できる。センサ部５９での検知結果は、制御回路５２に通知される。このため、制御回路５２は、通話回線が接続された状態にあるときに、スピーカ５６部分が使用者の耳部分にあてられていない状態が検知されている場合には、コーデック回路５３からの親機ＢＳ１に送信すべき音声信号の重要性は低いと判別できる。
【００８２】
このため、制御回路５２は、通話回線が接続された状態にあるときに、スピーカ５６部分が使用者の耳部分にあてられていない状態が検知されている場合には、これを挿入抽出処理部５７に通知する。挿入抽出処理部５７の挿入区間検出部５７３は、通話回線が接続されているときに、スピーカ５６部分が使用者の耳部分にあてられていない状態であることが通知されている場合には、親機ＢＳ１に送信すべき音声信号の該当区間は重要性が低い区間と判別する。この判別結果は、制御信号挿入部５７４に通知され、当該区間には、制御回路５２からの制御信号を挿入し、親機ＢＳ１に提供することができる。
【００８３】
なお、子機ＨＳ１の使用者が操作部５８を操作しているときにも、センサ部５９によってスピーカ５６部分が使用者の耳部分にあてられていないことが検知される。このため、センサ部５９を備える子機の場合には、通話回線が接続されている状態にあるときに、操作部５８を操作している場合を検出することなく、スピーカ５６部分が使用者の耳部分にあてられていないことを検出すれば、親機ＢＳ１に送信すべき音声信号の重要性の低い区間を判別できる。
【００８４】
すなわち、通話回線が接続されている状態にあるときに、スピーカ５６部分が使用者の耳部分にあてられていない場合は、操作部５８を操作している場合含め、何等かの理由により、通話よりも優先して行わなければならないことが発生している場合を検知できる。この場合には、通話は行われないので、この通話が行われることのない区間に対応する音声信号は、重要性の低いものであると判定できる。
【００８５】
このように、制御信号抽出部５７１及びノイズ挿入部５７２が音声信号に挿入されている制御信号の抽出機能を実現する。また、挿入区間検出部５７３及び制御信号挿入部５７４が音声信号への制御信号の挿入機能を実現する。
【００８６】
以上の説明は、コードレス電話装置２１の親機ＢＳ１及び子機ＨＳ１についての説明であるが、前述したように、その他のコードレス電話装置２２〜２ｎの親機ＢＳ２〜ＢＳｎ及び子機ＨＳ２〜ＨＳｎについても同様の構成を有するものである。
【００８７】
［通話時の親機と子機の処理］
次に、通話回線が接続されて通話が可能な状態にあるときに、コードレス電話装置を構成する親機と子機のそれぞれにおいて行われる処理について説明する。ここでも親機ＢＳ１と子機ＨＳ１とからなるコードレス電話装置２１の場合を例にして説明するが、コードレス電話装置２２〜２ｎのそれぞれにおいても同様の処理が行われる。
【００８８】
＜送話音声信号に対する処理＞
図６は、通話回線を接続し、通話が可能な状態にあるときの子機ＨＳ１から親機ＢＳ１へ音声信号を伝送する場合の処理を説明するためのシーケンス図である。通話回線が接続されて通話が可能な状態にあるときに、子機ＨＳ１のマイクロホン５５は使用者の発する音声（送話音声）を集音して、コーデック回路５３に供給する（ステップＳＰ１１）。子機ＨＳ１のコーデック回路５３は、マイクロホン５５からのアナログ音声信号をデジタル音声信号に変換し、これを挿入抽出処理部５７の挿入区間検出部５７３に供給する（ステップＳＰ１２）。
【００８９】
そして、挿入区間検出部５７３と制御信号挿入部５７４とが協働し、コーデック回路５３からの音声信号において重要性の低い区間を検出し、検出した区間に制御回路５２から提供される制御信号を挿入して、無線通信回路５１に供給する（ステップＳＰ１３）。ステップＳＰ１３において、挿入区間検出部５７３は、これに供給された音声信号の状態、または、制御回路５２からの情報に基づき、コーデック回路５３からの音声信号中の重要性の低い区間を検出し、これを制御信号挿入部５７４に通知する。
【００９０】
挿入区間検出部５７３で行われる検出処理は、親機ＢＳ１に供給する音声信号において、上述した（１）〜（７）の場合に対応する区間を検出するものである。また、この実施の形態において、挿入区間検出部５７３は、親機ＢＳ１に送信する音声信号において、使用者の耳部分にスピーカ５６があてられていない区間を、音声信号としては重要性の低い区間として特定することもできるようにしている。
【００９１】
そして、ステップＳＰ１３において、制御信号挿入部５７４は、挿入区間検出部５７３を通じて供給される音声信号について、挿入区間検出部５７３が検出した区間に対して、制御回路５２からの制御信号を挿入する。この制御信号の挿入処理は、図３、図４を用いて説明した親機ＢＳ１の制御信号挿入部４７２で行われる処理と同様の処理である。なお、挿入区間検出部５７３において、親機ＢＳ１に送信する音声信号について、重要性の低い区間が検出できなかった場合には、コーデック回路５３からの音声信号は、そのまま無線通信回路５１に提供される。
【００９２】
無線通信回路５１は、制御信号挿入部５７４からの音声信号と制御部５１１からの制御信号とから、図８に示した態様の送信信号を形成し、親機ＢＳ１に対して送信する（ステップＳＰ１４）。従って、この例の場合、図８（Ｂ）に示したＡフィールドを通じて制御信号が送信されると共に、Ｂフィールドの音声信号の重要性の低い区間にも、制御信号が挿入されて親機ＢＳ１に送信される。これにより、通話が可能な状態においても、子機ＨＳ１からの制御信号を遅滞なく親機ＢＳ１に送信することができる。
【００９３】
一方、親機ＢＳ１においては、子機ＨＳ１からの受信信号を解析することにより、制御信号を抽出し、これを制御回路４１に供給して利用可能にする（ステップＳＰ１５）。まず、ステップＳＰ１５においては、子機ＨＳ１からの受信信号をＴＤＭＡ変復調部４４２において復調し、Ａフィールドの制御信号を抽出して、制御部４４１を通じて制御回路４１に供給し利用可能にする。
【００９４】
さらに、ステップＳＰ１５においては、ＴＤＭＡ変復調部４４２において復調されたＢフィールドの音声信号が、挿入抽出処理部４７の制御信号抽出部４７３に供給される。制御信号抽出部４７３は、供給された音声信号に制御信号が挿入されている場合には、挿入区間を特定して、挿入されている制御信号を抽出し、これを制御回路４１に供給して、利用可能にする。
【００９５】
次に、制御信号抽出部４７３で制御信号が抽出された音声信号は、ノイズ挿入部４７４に供給される。当該音声信号は制御信号が挿入された状態のものであるので、このまま相手先において再生された場合には、耳障りな音声が再生される可能性がある。そこで、ノイズ挿入部４７４は、これに供給された音声信号に対して、制御信号が挿入されている区間にホワイトノイズを上書きする（ステップＳＰ１６）。すなわち、ノイズ挿入部４７４は、音声信号に挿入されている制御信号を打ち消して、音声信号として再生されても耳障りな音声となることがないようにする処理を行う。
【００９６】
この後、子機ＨＳ１からの音声信号は、親機ＢＳ１を通じて、主装置１に送信され（ステップＳＰ１７）、主装置１から外線（電話網）に送出されて（ステップＳＰ１８）、通話の相手先に送信される。このように、子機ＨＳ１からの音声信号（送話音声）の重要性の低い区間に制御信号を挿入して親機ＢＳ１に提供し、親機において抽出して利用できるようにすると共に、子機ＨＳ１からの重要性の高い音声信号については、適切に通話の相手先に送信される。
【００９７】
＜受話音声信号に対する処理＞
図７は、通話回線を接続し、通話が可能な状態にあるときの親機ＢＳ１から子機ＨＳ１へ音声信号を伝送する場合の処理を説明するためのシーケンス図である。通話回線が接続されて通話が可能な状態にあるときに、通話の相手先からの音声信号（受話音声）は、外線（電話網）を通じて主装置１に供給され（ステップＳＰ２１）、主装置１を通じて親機ＢＳ１に供給される（ステップＳＰ２２）。
【００９８】
親機ＢＳ１では、主装置１を介して供給された通話の相手先からの音声信号は、回線ＬＳＩ部４２の音声信号処理部４２３を通じて、挿入抽出処理部４７の挿入区間検出部４７１に供給される。そして、挿入区間検出部４７１と制御信号挿入部４７２とが協働し、通話の相手先からの音声信号において重要性の低い区間を検出し、検出した区間に制御回路４１から提供される制御信号を挿入して、無線通信回路４４に供給する（ステップＳＰ２３）。
【００９９】
ステップＳＰ２３において、挿入区間検出部４７１は、これに供給された音声信号の状態、または、制御回路４１からの情報に基づき、音声信号処理部４２３からの音声信号中の重要性の低い区間を検出し、これを制御信号挿入部４７２に通知する。挿入区間検出部４７１で行われる検出処理は、子機ＨＳ１に供給する音声信号において、上述した（１）〜（４）、（６）の場合に対応する区間を検出するものである。
【０１００】
そして、ステップＳＰ２３において、制御信号挿入部４７２は、挿入区間検出部４７１を通じて供給される音声信号について、挿入区間検出部４７１が検出した区間に対して、制御回路４１からの制御信号を挿入する。この制御信号の挿入処理は、図３、図４を用いて説明した処理である。なお、挿入区間検出部４７１において、子機ＨＳ１に送信する音声信号について、重要性の低い区間が検出できなかった場合には、主装置を介して供給される通話の相手先からの音声信号は、そのまま無線通信回路４４に提供される。
【０１０１】
無線通信回路４４は、制御信号挿入部４７２からの音声信号と制御部４４１を通じて制御回路４１から供給される制御信号とから、図８に示した態様の送信信号を形成し、子機ＨＳ１に対して送信する（ステップＳＰ２４）。従って、この例の場合、図８（Ｂ）に示したＡフィールドを通じて制御信号が送信されると共に、Ｂフィールドの音声信号の重要性の低い区間にも、制御信号が挿入されて子機ＨＳ１に送信される。これにより、通話が可能な状態においても、親機ＢＳ１からの制御信号を遅滞なく子機ＨＳ１に送信することができる。
【０１０２】
一方、子機ＨＳ１においては、親機ＢＳ１からの受信信号を解析することにより、制御信号を抽出し、これを制御回路５２に供給して利用可能にする（ステップＳＰ２５）。まず、ステップＳＰ２５においては、親機ＢＳ１からの受信信号をＴＤＭＡ変復調部５１２において復調し、Ａフィールドの制御信号を抽出して、制御部５１１を通じて制御回路５２に供給し利用可能にする。
【０１０３】
さらに、ステップＳＰ２５においては、ＴＤＭＡ変復調部５１２において復調されたＢフィールドの音声信号が、挿入抽出処理部５７の制御信号抽出部５７１に供給される。制御信号抽出部５７１は、供給された音声信号に制御信号が挿入されている場合には、挿入区間を特定して、挿入されている制御信号を抽出し、これを制御回路５２に供給して、利用可能にする。
【０１０４】
次に、制御信号抽出部５７１で制御信号が抽出された音声信号は、ノイズ挿入部５７２に供給される。当該音声信号は制御信号が挿入された状態のものであるので、このままコーデック回路５３において再生するようにされた場合には、耳障りな音声が再生される可能性がある。そこで、ノイズ挿入部５７２は、これに供給された音声信号に対して、制御信号が挿入されている区間にホワイトノイズを上書きする（ステップＳＰ２６）。すなわち、ノイズ挿入部５７２は、音声信号に挿入されている制御信号を打ち消して、音声信号として再生されても耳障りな音声となることがないようにする処理を行う。
【０１０５】
この後、親機ＢＳ１からの音声信号は、コーデック回路５３に供給されて、Ｄ／Ａ変換され（ステップＳＰ２７）、変換後のアナログ音声信号がスピーカ５６に供給されて受話音声が放音される（ステップＳＰ２８）。このように、親機ＢＳ１からの音声信号（受話音声）の重要性の低い区間に制御信号を挿入して子機ＨＳ１に提供し、子機ＨＳ１において抽出して利用できるようにすると共に、親機ＢＳ１を介して提供される通話の相手先からの重要性の高い音声信号については、適切に子機ＨＳ１を通じて、子機ＨＳ１の使用者に提供される。
【０１０６】
［実施の形態の効果］
上述したように、この実施の形態のコードレス電話装置２１〜２ｎにおいては、親機ＢＳ１〜ＢＳｎと子機ＨＳ１〜ＨＳｎとの間においては、通話時においても、音声信号の重要性の低い区間を通じて制御信号の送受を行うことができる。これにより、通話回線を接続して通話が可能な状態にあるときでも、通話で使用されているフィールドを有効活用することができ、送受する必要のある制御信号を遅滞なく親機と子機との間で送受することができる。これにより、子機のＬＣＤ表示が遅れたり、着信通知にタイムラグが生じたりすることを防止できる。また、子機の動作状態なども遅滞なく、親機を通じて主装置に通知できる。
【０１０７】
［変形例］
なお、上述した実施の形態では、スロット分の伝送データ（図８（Ｂ））のＡフィールドを使用して通常通り制御信号を送信すると共に、送信対象の音声信号の重要性の低い区間を使用して必要となる制御信号を送信するようにした。しかし、これに限るものではない。音声信号の重要性の低い区間を使用して、伝送の必要のなる制御信号を遅滞なく伝送できるのであれば、１スロット分の伝送データのＡフィールドを使用して制御信号を伝送する必要はない。
【０１０８】
また、通話回線が解放された状態にある非通話中においては、１スロット分の伝送データのＢフィールドを用いて制御信号を伝送する特許文献１に記載の方式を併用するようにしてもよい。また、周囲に他のコードレス電話装置が存在しない場合に、空きスロットとなっている他のコードレス電話装置のスロットを併せて使用して、制御信号を伝送する特許文献２に記載の方式を併用するようにしてもよい。
【０１０９】
また、伝送すべき音声信号の重要性の低い区間を特定する方式は、上述した（１）〜（７）に示した場合に限るものではない。例えば、所定の保留音が送信されてきている場合には、通話の相手先からの音声信号の重要性は低いと判別することもできる。また、送信すべき音声信号が、明らかに話音声ではないと判別できる場合にも、当該音声信号の重要性は低いと判別できる。このように、送信対象の音声信号の重要性は、その音声信号の特徴や送信時におけるコードレス電話装置の操作の状況などに応じて判別できれば、これを採用することができる。
【０１１０】
なお、上述した実施の形態においては、ＤＥＣＴ規格の通信方式により無線通信を行う親機と子機とからなるコードレス電話装置にこのはめを適用した場合を例にして説明したが、これに限るものではない。ビジネスホンシステムを構成するコードレス電話装置であって、種々の通信方式で親機と子機との間で無線通信が行われるコードレス電話装置にこの発明を適用できる。
【０１１１】
［その他］
上述した実施の形態の説明からも分かるように、請求項における親機側判別手段の機能は、実施の形態の親機ＢＳ１の挿入区間検出部４７１が実現し、請求項における親機側挿入手段の機能は、実施の形態の親機ＢＳ１の制御信号挿入部４７２が実現している。また、請求項における子機側抽出手段の機能は、実施の形態の子機ＨＳ１の制御信号抽出部５７１が実現し、請求項における子機側代替手段の機能は、実施の形態の子機ＨＳ１のノイズ挿入部５７２が実現している。
【０１１２】
また、請求項における子機側判別手段の機能は、実施の形態の子機ＨＳ１の挿入区間検出部５７３が実現し、請求項における子機側挿入手段の機能は、実施の形態の子機ＨＳ１の制御信号挿入部５７４が実現している。また、請求項における親機側抽出手段の機能は、実施の形態の親機ＢＳ１の制御信号抽出部４７３が実現し、請求項における親機側代替手段の機能は、実施の形態の親機ＢＳ１のノイズ挿入部４７４が実現している。
【０１１３】
また、図６、図７のシーケンス図を用いて説明した親機と子機との間で制御信号を送受する方法が、この発明のコードレス電話装置に適用された制御信号の伝送方法である。すなわち、親機ＢＳ１と子機ＨＳ１との間において送受される信号について、自機から送信する音声信号の重要性の低い区間に制御信号を挿入して送信し、自機が受信した音声信号に挿入されている制御信号を抽出して利用可能にする方法となる。
【符号の説明】
【０１１４】
１…主装置、２１〜２ｎ…コードレス電話装置、ＢＳ１〜ＢＳｎ…親機、４１…制御回路、４２…回路ＬＳＩ部、４２１…分割化／多重化処理部、４２２…制御信号処理部、４２３…音声信号処理部、４２４…同期信号検出部、４２５…ＰＬＬ部、４３…同期信号発生回路、４３１…カウンタ、４３２…同期信号生成部、４４…無線通信回路、４４１…制御部、４４２…ＴＤＭＡ変復調部、４４３…ＲＦ部、４４２１…ＰＬＬ部、４５、４６…発振器、４７…挿入抽出処理部、４７１…挿入区間検出部、４７２…制御信号挿入部、４７３…制御信号抽出部、４７４…ノイズ挿入部、ＨＳ１〜ＨＳｎ…子機、５１…無線通信回路、５１１…制御部、５１２…ＴＤＭＡ変復調部、５１２１…ＰＬＬ部、５１３…ＲＦ部、５２…制御回路、５３…コーデック回路、５４…発振器、５５…マイクロホン、５６…スピーカ、５７…挿入抽出処理部、５７１…制御信号抽出部、５７２…ノイズ挿入部、５７３…挿入区間検出部、５７４…制御信号挿入部、５８…操作部、５９…センサ部
【図１】
2019179959.tif 000003
【図２】
2019179959.tif 000004
【図３】
2019179959.tif 000005
【図４】
2019179959.tif 000006
【図５】
2019179959.tif 000007
【図６】
2019179959.tif 000008
【図７】
2019179959.tif 000009
【図８】
2019179959.tif 000010